(57)【要約】      （修正有）【課題】タブレットパソコンやスマートフォン、あるいは文庫本等を、長時間の使用・読書をしやすくするとともに、菓子やペットボトルの飲料をとったり、メモをとったりでき、使用しない時はコンパクトに収納できる折りたたみ式多機能書見台を提供する。【解決手段】台板１と載置板２と一対の脚部３によって構成される折りたたみ式多機能書見台であって、台板１の下面には一対の脚部３が蝶番４によって結合され、台板１の上面には主載置板２ａが載置板角度調節用蝶番６によって結合され、台板１は主載置板２ａにより開閉される開口を有し、その開口内に主載置板２ａを支える支持具を収納するとともに、主載置板２ａの裏面には、この支持具と係止する留め具を配置し、支持具と留め具により、台板１に対する主載置板２ａの角度を調節する角度調節具７を構成する。【選択図】図１
0003215174.tif 000002
【実用新案登録請求の範囲】
【請求項１】
台板と載置板と一対の脚部によって構成される折りたたみ式多機能書見台であって、台板の下面には一対の脚部が蝶番によって結合され、台板の上面には主載置板が蝶番によって結合され、前記台板は前記主載置板により開閉される開口を有し、その開口内に前記主載置板を支える支持具を収納するとともに、前記主載置板の裏面には、この支持具と係止する留め具を配置し、前記支持具と前記留め具により、前記台板に対する前記主載置板の角度を調節する角度調節具を構成することを特徴とする折りたたみ式多機能書見台。
【請求項２】
前記台板の上面には、主載置板に隣接する位置に副載置板が蝶番によって結合され、前記台板は前記副載置板により開閉される開口を有し、その開口内に前記副載置板を支える支持具を収納するとともに、前記副載置板の裏面には、この支持具と係止する留め具を配置し、前記支持具と前記留め具により、前記台板に対する前記副載置板の角度を調節する角度調節具を構成することを特徴とする請求項１に記載の折りたたみ式多機能書見台。
【請求項３】
前記台板の下面には、上面の主載置板に隣接する位置の反対面である位置に副載置板が蝶番によって結合され、前記台板は前記副載置板により開閉される開口を有し、前記副載置板は、蝶番による結合部と反対側に、前記副載置板の開閉角度を調節する角度調節具を備えることを特徴とする請求項１に記載の折りたたみ式多機能書見台。
【請求項４】
前記一対の脚部は、各々短脚と長脚を有し、連結部により前記短脚と前記長脚が連結され、長脚上部には台板受けを設け、この台板受けが台板の下面に蝶番によって結合され、また、前記短脚と前記長脚は、それぞれ別個に長さを調節するための脚長調節具を備えることを特徴とする請求項１に記載の折りたたみ式多機能書見台。
【請求項５】
前記台板が水平に対して−４度〜−６度または２５度〜４０度の傾斜をもって設置されたことを特徴とする請求項１乃至請求項４のいずれか一項に記載の折りたたみ式多機能書見台。
【考案の詳細な説明】
【技術分野】
【０００１】
本考案は、ソファーやベッド上または床面にリラックスして座ったり和室に正座したりする状態でのタブレットパソコンやスマートフォンの使用や読書を楽な姿勢で長時間可能とし、かつ楽な姿勢を変えずに菓子などを摂ったりメモをとったり他の資料を参照したりできる器具に関する。
【背景技術】
【０００２】
タブレットパソコンの画面は、何らかの支えがなければ使用者の顔と正対しないため、使用者が手で持ったり机上に台を置いたりするなどして見やすい角度にして使用する。文庫本などの書籍も同様で、手で持ったり首の角度を変えたり書見台を用いたりして読書することがある。
【０００３】
一方、タブレットパソコンの使用場面や文庫本などの読書の場面は、ソファーやベッドでリラックスした姿勢をとることが少なくない。この場合はタブレットパソコンや書籍を手で持つことになるため腕に疲労が生じてしまい、次第にリラックスできなくなってくる。壁等に寄りかかって床に足を伸ばした状態で使用・読書したり、和室で正座したりする場合も同様である。
【０００４】
また、このようなリラックスした使用場面では、菓子をつまんだりしたくなることがあるが、その度に姿勢を変えてテーブルに手を伸ばして菓子を取ったりペットボトルを取ったりすることになる。ちょっとしたメモをとりたいような場合や他の資料を参照したりしたい場合も同様である。
【０００５】
この２点の問題のうち、腕の疲労に関しては、アーム型のスタンドや脚部をソファーの下に入れ込んで使う台、ソファー上に置ける台などが市販されていて十分な効果を得ることができるが、菓子や飲み物のペットボトルを置いたりメモをとったりすることに関しては、一般的に入手可能なものは市販されていない。
【０００６】
さらに、ソファーやベッドで使用できるスタンドや台は、使用しないときに邪魔にならないことが必要であるため、折りたたむなどの方法で小さくできることが求められる。
【先行技術文献】
【特許文献】
【０００７】
【特許文献１】特開２００６−１５００１４
【特許文献２】特開２００６−７５４４８
【特許文献３】実開平７−２７３３７
【特許文献４】実用新案登録第３１１１３７８号
【特許文献５】意匠登録第１４３９４９４号
【特許文献６】意匠登録第１４４４５８９号
【考案の概要】
【考案が解決しようとする課題】
【０００８】
ソファーにゆったりと座ったりベッド上で脚を伸ばして座ったりしている場合に、タブレットパソコンやスマートフォン及び文庫本などの書籍を手で持たずにすむようにし、次第に腕が疲労してしまってタブレットパソコンの使用や読書を中断せざるを得ない事態が発生することを回避する。
【０００９】
また、ソファーにゆったりと座ったりベッド上で脚を伸ばして座ったりしてタブレットパソコン等を使用したり読書したりするような場合に、菓子等をつまんだりメモをとったりしたくなったときに手元に菓子等を置いたり筆記できるようにしたりして、ソファーやベッドに菓子などを直接置くことがはばかられたり姿勢を変えたり立ち上がったりせざるを得ない事態を回避する。
【課題を解決するための手段】
【００１０】
本考案の折りたたみ式多機能書見台は、台板と載置板と脚部で構成し、ソファーやベッドの上で使用者を跨ぐ状態で置いて使うものであり、２つの形態をとる。
【００１１】
形態の一つ（A型）は、台板の上面に載置板を複数面に分割して設置(中央または中央よりのものを主載置板、それ以外のものを副載置板とする)し、分割された載置板のそれぞれが角度を調節できるようにするとともに、ソファー座面の傾斜や座ったときのへこみを考慮して台板に予め４度〜６度の負角を与えたものである。
【００１２】
台板には開口部を設け、載置板角度調節具設置のスペースにするとともに全体の質量軽減を図る。
【００１３】
台板を支える脚部は４本脚として４本が別々に長さが調節できるようにするが、脚部の長さ調節の範囲は、４本中２本は調節範囲が小さく、伸ばした状態で脚の全長が２０cmまでとし、残る２本は調節範囲が大きく、伸ばした状態で脚の全長が８０cmまでとする。
【００１４】
形態のもう一つ（B型）は、載置板を複数面に分割して設置し、分割された載置板のそれぞれが角度を調節できるようにすることや開口部、脚長の調節は[００１１]〜[００１３]と同様であるが、台板が異なり、負角ではなく予め２５〜４０度の正角の傾斜を与えたものである。主載置板は開口部上面に設置するが、副載置板は開口部下面に設置して２５〜４０度程度の負の角度調節ができるようにしたものである。
【００１５】
B型の副載置板用の開口部の上面には、メモをとる場合などのための記載台を着脱可能に設ける。
【００１６】
載置板の角度の調節と脚部の長さの調節の仕組みは、タブレットパソコン等や腕を置いたときに支えられる強度を保てるものであって、かつ使用中に邪魔にならないものとする。
【００１７】
台板と脚部は蝶番によって接続されていて、使用時には脚部固定金具によってテーブルの状態を保ち、不使用時には脚部固定金具を外して折りたたむことができる構造とする。
【００１８】
使用する材料は、木材、金属、プラスチック等で、タブレットパソコンや単行本、文庫本等や腕を置いたときに支えられる強度があるものとし、使用者の好みに応じた質感やデザインを施す。
【考案の効果】
【００１９】
ソファーやベッド上で使用したり和室で正座して使用したりする場合に、A型B型ともに主載置板の角度を調節してタブレットパソコンや本等を見やすい角度で載せることができるため、腕でタブレットパソコン等を支え続ける必要がなくなって疲労が生じず、長時間の使用や読書が可能になる。さらに、主載置板の角度を調節してタブレットパソコンを置き、副載置板の一つの角度も調節してスマートフォンを置くというような使い方ができる。
【００２０】
また、持ち上げていない載置板は、A型はあらかじめ与えた負角によって水平に近い状態を保てるため、菓子等を置いたり筆記したりでき、よりリラックスしたり使用・読書の効果を高めたりできる。B型は副載置板を下げることによって水平に近い状態を作りだして物品を置くことができ、副載置板の動作方向がA型と逆であるが効果は同様である。
【００２１】
脚長調節機能は、ソファー等の形状や大きさ、使用者の体格や姿勢、好みによって角度や高さを調整できるものである。また、4脚をソファー等の座面に乗せることができない場合には、使用者からみて離れた方の2脚を脚長調節機能によって床面まで伸ばしてこの2本は床面に設置し、残る２本はソファー座面に載せて設置し、[００１９]、[００２０]と同様の効果を得られる。
【００２２】
使用しない場合は邪魔にならないようにコンパクトにできる。
【図面の簡単な説明】
【００２３】
【図１】本考案の実施形態を示す折りたたみ式多機能書見台（Ａ型）の上方からと下方から             の斜視図である。
【図２】図１に示すA型の天板の角度調節状態を示す斜視図である。
【図３】図１に示すA型の平面図である。
【図４】図１に示すA型の立面図である。
【図５】図１に示すA型の側面図である。
【図６】図１に示すA型の折りたたみ過程の斜視図である。
【図７】図１に示すA型をソファー上に設置した場合の使用例を示す斜視図である。
【図８】図１に示すA型を、２脚はソファー座面に、２脚は床面に置いて設置した場合の使            用例を示す斜視図である。
【図９】本考案の実施形態を示す折りたたみ式多機能書見台（B型）の斜視図である。
【図１０】図９に示すＢ型の側面図である。
【図１１】図９に示すＢ型の使用例を示す斜視図である。
【考案を実施するための形態】
【００２４】
以下、本考案の実施形態を図１〜図１１に基づいて説明する。
【００２５】
図１と図２はＡ型の全体的構造を示す斜視図であり、台板１と載置板２及び脚部３によって構成され、図では載置板２は角度を調節していない状態と角度を調節した状態を混在させて示している。台板１の下面に脚部３が折りたたみ用蝶番４によって接続されて台板は脚部に載り、固定金具５によって固定される。また、台板１の上面に載置板２が複数面に分割されて載置板角度調節用蝶番６によって接続される。
【００２６】
台板１には開口部を設けてその空間に載置板２を支える針金状の略コの字型をした支持金具を収納するとともに、載置板の裏面にこの支持金具を係止する突起状の留め具を複数設置し、必要に応じて載置板を希望の角度に持ち上げ、開口部から取り出した支持金具を複数ある留め具の希望の角度を得られる位置で受け止めて固定することのできる角度調節具７によって使用者の好みの角度に調節できる。本実施例では０度、１０度、２０度、３０度、４０度である。この角度調節具としては、本実施例以外のさまざまな方法が利用できる。
【００２７】
脚部は、２本の脚と台板を載せる部分（これを「台板受け」とする）を一体として構成するもので、脚の１本は長さが接地面から６〜１０cm（この１本を「短脚」3aとする）とし、もう１本は２８〜４０cm（この１本を「長脚」3bとする）として、短脚の上部から長脚に向けて略水平の連結部3cを設けて長脚と繋いで一体として形成し、さらに長脚の上部から台板受け3dを−４度〜−６度または２５度〜４０度の傾斜をもって短脚の上方手前まで形成して短脚・長脚・台板受けを一体化させて略コの字型となしたもので、これにより使用者側を大きく空けた形状となり、使用者の手が自由に動ける空間を確保するものであり、この脚部を２つ用いて４脚とし、この４脚はそれぞれが脚長調節具３ｅにより長さ可変とする。
【００２８】
脚長調節具３ｅは、本実施例では、短脚３ａでは脚につけた金属板を上下させて蝶ねじで締め付けて固定するもので、長脚３ｂではカメラの三脚のように脚に内蔵した入れ子状の３段の金属パイプを伸縮させてレバーで締め付けて固定するものであり、伸ばした場合の脚全体の長さは短脚は２０cmまで、長脚は８０cmまでとし、使用に当たっては図７の使用例に示すように、脚部を４本ともソファー等の上に設置することと、この設置状態の他に図８の使用例に示すように２本をソファー等の上に置き２本を床面に置いて設置することができるものである。特に後者の設置状態の場合には全高が高くなって安定性が減ずるため、長脚の伸縮部分の底面(接地面)を１８０度向きを変えられるようにして接地面が長脚外まで出るようにすることにより、図８の使用例に示すようにより安定して設置できるようにする。
【００２９】
脚部３は、不使用時には脚部固定金具５を外し、折りたたみ用蝶番４によって約９０度回転させてコンパクトに折りたたむことができる。
【００３０】
図３は、載置板を３等分とした場合のＡ型の平面図である。２分割や４分割以上でも、また、不等分でも本考案の効果を発揮でき、想定する使用目的に応じて設定する。台板には、[００２６]に述べたように開口部を設けてその空間に載置板の角度調節具を設けるとともに、全体の質量軽減を図る。
【００３１】
図４はA型の立面図である。載置板２の使用者側の一辺にはタブレットパソコン等の落下防止のため受け具８を設置してある。受け具は載置板を筆記に使用する場合に邪魔にならないように、副載置板については主載置板よりも高さを低くする。
【００３２】
図５は、A型の側面図である。使用者からみて載置板２に−４°〜−６゜の負角が与えられており、ソファー等の形状による傾斜や使用者が座ったときの体重による座面のへこみを相殺して、載置板を水平に近い状態にすることができる。
【００３３】
図６はA型の折りたたみ過程の斜視図である。全体を裏返し、脚部固定金具５を外した後に折りたたみ用蝶番４によって折りたたむことができる。載置板２は、台板１と１辺だけ蝶番で連結してあるため、そのまま全体を裏返した場合、他辺は台板１から離れてしまうが、図６と図２に示す載置板留め面ファスナー９によって台板１と一体化できるので、折りたたみのために台板を裏返すなどの動作が支障なくできる。
【００３４】
図７はA型の使用状況を示す例である。ソファーに座って手に何も負荷をかけずにタブレットパソコン等を見ることができる。脚部３を略コの字型として短脚３ａ上に空間が確保されているので手をある程度自由に動かせるため、メモをとったりお菓子をつまんだりすることができる。
【００３５】
図８は、脚部をソファー座面に２脚、床面に２脚設置した場合の使用状況を示す例である。ソファー等の大きさや構造、使用者の体格や好みに応じて使用できる。長脚の接地面は、[００２８]に示したように安定して使用できるように回転させてある。
【００３６】
図９は、B型の斜視図である。B型は台板１が予め２５〜４０゜の範囲で傾斜させてあるので、角度調節をせずにそのまま主載置板２aにタブレットパソコンや文庫本等を設置しても見やすい角度になっているが、[００２６]に示した仕組みと同様に台板１に開口部を設けてその空間に主載置板２aを支える針金状の略コの字型をした支持金具を収納し、主載置板２aの裏面にこの支持金具を係止する突起状の留め具を複数設置し、必要に応じて主載置板を希望の角度に持ち上げ、開口部から取り出した支持金具を複数ある留め具の希望の角度を得られる位置で受け止めて固定することのできる載置板角度調節具７により上方に角度を調節できるので、好みに応じてさらに見やすくできる。
【００３７】
B型の副載置板２ｂは、予め２５〜４０゜の範囲で傾斜を与えた台板１に開口部を設けてその空間に略嵌合する形の形態とし、短脚３ａ側の一辺を蝶番６によって台板と接続するが、長脚側の一辺は開口部から台板の下面まではみ出させてこのはみ出し部に２個の穴を開け、この穴と重なる位置で台板にも穴を開けて、この載置板と台板の穴を紐によって結んで載置板を台板からつり下げて支え、必要に応じて紐の長さを調節して載置板を希望の角度に押し下げて水平状態を作り、バネによって紐を押さえつけて止めるストッパーで固定することのできる載置板水平保持具１０を有し、載置板を水平状態に保つことができる。
【００３８】
B型の載置板水平保持具１０は、本実施例では、紐とストッパーによって副載置板２ｂをつり下げる構造であるが、水平状態を作れる構造であれば方法を問わない。
【００３９】
B型の主載置板２aには、A型と同様の受け具８を設ける。副載置板２bには受け具を設けないが、台板の開口部の縁が枠のような状態になるのでペットボトル飲料等が倒れにくくなり、受け具の役割を果たす。
【００４０】
B型の副載置板には記載台１１を設置できるためメモをとるような作業ができる場を確保できる。
【００４１】
記載台１１は、大きさについては、主載置板２ａや載置板水平保持具１０と重ならず、かつ台板１からはみ出ることのない範囲で最大にし、台板１の開口部をすっぽりと覆うもので、材料は、筆記に支障のない硬さをもつものを用いる。また、筆記具の落下等を防止するため載置板２ａと同様の受け具を設置するとともに、メモ用紙が落下しないように磁石やクリップ等で留められるようにする。
【００４２】
図１０はB型の側面図である。副載置板２ｂは下降させた状態を示す。
【００４３】
図１１はB型の使用例の斜視図である。副載置板の一つは下降させた状態であり、もう一つの副載置板上には記載台１１を取り付けた状態を示す。
【符号の説明】
【００４４】
１  台板
２  載置板
２a  主載置板
２b  副載置板
３  脚部
３a  短脚
３b  長脚
３c  連結部
３ｄ  台板受け
３ｅ  脚長調節具
４  折りたたみ用蝶番
５  脚部固定金具
６  載置板角度調節用蝶番
７  載置板角度調節具
８  受け具
９  載置板留め面ファスナー
１０  載置板水平保持具
１１  記載台
【図１】
0003215174.tif 000003
【図２】
0003215174.tif 000004
【図３】
0003215174.tif 000005
【図４】
0003215174.tif 000006
【図５】
0003215174.tif 000007
【図６】
0003215174.tif 000008
【図７】
0003215174.tif 000009
【図８】
0003215174.tif 000010
【図９】
0003215174.tif 000011
【図１０】
0003215174.tif 000012
【図１１】
0003215174.tif 000013